(57)【特許請求の範囲】
【請求項１】
貯水が可能な水槽と、
通水が可能な孔を有して前記水槽内に回転可能に配設された回転槽と、
前記水槽が有する水取出し口と水戻し口を該水槽外部で連通する循環水路と、
この循環水路の途中部に設けられた循環ポンプと、
前記循環水路と前記循環ポンプとを含んで構成され、水槽内の水を、前記循環ポンプのポンプ作用により前記循環水路を通して吸入して前記水戻し口から前記水槽内へ吐出させて循環させる循環装置とを備えた洗濯機において、
前記循環ポンプの駆動源としてのポンプモータは、回転速度変更可能なＤＣブラシレスモータにより構成され、
前記循環ポンプは、ボリュートを備えたポンプケーシングと、ポンプ羽根及び前記ポンプモータを備えたポンプ本体部とを、組み合わせて構成され、且つ前記ポンプ羽根が配置される羽根室を有すると共に、該羽根室に通じる吸入口及び吐出口を有し、
前記ボリュートは、前記水取出し口側の前記循環水路側の端部に平板部を有すると共に、この平板部の中央に、前記羽根室方向へ隆起する中央部を有し、この中央部に、前記水取出し口側の前記循環水路から前記羽根室方向へ略円錐状に窄まるテーパー状をなす吸入口が設けられていることを特徴とする洗濯機。
【請求項２】
前記羽根室内面における前記吸入口から周辺部にかけて、前記水取出し口側の前記循環水路方向へ向けて傾斜する斜面状に形成されていることを特徴とする請求項１に記載の洗濯機。
【請求項３】
前記吸入口は、前記水取出し口側の前記循環水路から前記羽根室方向へ略円錐状に窄まるテーパー状をなし、且つ前記ポンプ羽根に臨む口部の内径が該ポンプ羽根の外径より小さいことを特徴とする請求項１又は２に記載の洗濯機。
【請求項４】
前記ポンプモータの回転速度を３６００ｒｐｍより高く設定したことを特徴とする請求項１ないし３のいずれかに記載の洗濯機。
【請求項５】
前記ポンプモータの電源電圧を直流２４Ｖ以下としたことを特徴とする請求項１ないし４のいずれかに記載の洗濯機。
【請求項６】
前記ボリュートは、前記ポンプ羽根の外周側に複数の開口を備えたことを特徴とする請求項１ないし５のいずれかに記載の洗濯機。
【請求項７】
前記開口は、等間隔に設けられていることを特徴とする請求項６に記載の洗濯機。
【請求項８】
前記ボリュートはポンプ羽根の吐出回転方向に曲線状をなすことを特徴とする請求項１ないし７のいずれかに記載の洗濯機。
【発明の詳細な説明】
【技術分野】
【０００１】
本発明は、水槽内の水を、循環ポンプのポンプ作用により循環水路を通して吸入して吐出口から前記水槽内へ吐出させて循環させる循環装置を備えた洗濯機に関する。
【背景技術】
【０００２】
従来、例えばドラム式の洗濯機においては、洗浄性能の向上や節水を目的として、循環ポンプを有する循環装置を備え、洗濯物の洗い時やすすぎ時に、循環装置の循環ポンプを駆動することで、水槽内の水を、循環水路を通して吸入して吐出口から水槽内（ドラム内）へ吐出させて循環させる構成としたものがある（例えば特許文献１）。このものでは、吐出口から水槽内へ吐出された水が、ドラム内に収容された洗濯物に掛けられるようになる。これにより、水と洗剤分とが混合され、洗剤分の泡立ちが促進される。また、この種のものにおいては、循環水路中にリント捕獲部を設け、洗濯物から出るリント（糸くず）をそのリント捕獲部において捕獲するようになっている。循環ポンプの駆動源となるポンプモータは隈取型モータやコンデンサモータなどの誘導モータが一般的であった。
【特許文献１】特開２００６−２０４４２７号公報
【発明の開示】
【発明が解決しようとする課題】
【０００３】
上記従来のものでは、ポンプモータとして、電源としてＡＣ（交流）１００Ｖを使用する誘導モータであるため、商用周波数に依存する同期回転速度以上の回転速度を出すことができず、出力が小さく、必要なポンプ圧を得るには、大型のモータを使用しなければならず、重量も重いという問題があった。また、前記循環ポンプは、内周面が円形をなす羽根室に、複数の羽根板を放射状に有するポンプ羽根を、該羽根板先端が羽根室内周面に近接する形態に配設した構成で、各羽根板間に取り込んだ水を吐出口まで移送して吐出口から吐き出すものであり、羽根室及び羽根板自体も大きくしないと必要な流量が得られないものであり、大きい割りには期待したポンプ性能が得られないといった問題もあった。
【０００４】
本発明は、上記事情に鑑みてなされたものであり、その目的は、循環装置の循環ポンプの小型化を図りつつ、ポンプ性能を飛躍的に向上させることができ、この結果、水の循環能力を高め得て、洗濯効果などの向上に寄与できる洗濯機を提供することにある。
【課題を解決するための手段】
【０００５】
上記目的を達成するために、本発明は、貯水が可能な水槽と、通水が可能な孔を有して前記水槽内に回転可能に配設された回転槽と、前記水槽が有する水取出し口と水戻し口を該水槽外部で連通する循環水路と、この循環水路の途中部に設けられた循環ポンプと、前記循環水路と前記循環ポンプとを含んで構成され、水槽内の水を、前記循環ポンプのポンプ作用により前記循環水路を通して吸入して前記水戻し口から前記水槽内へ吐出させて循環させる循環装置とを備えた洗濯機において、前記循環ポンプの駆動源としてのポンプモータは、回転速度変更可能なＤＣブラシレスモータにより構成され、前記循環ポンプは、ボリュートを備えたポンプケーシングと、ポンプ羽根及び前記ポンプモータを備えたポンプ本体部とを、組み合わせて構成され、且つ前記ポンプ羽根が配置される羽根室を有すると共に、該羽根室に通じる吸入口及び吐出口を有し、前記ボリュートが、前記水取出し口側の前記循環水路側の端部に平板部を有すると共に、この平板部の中央に、前記羽根室方向へ隆起する中央部を有し、この中央部に、前記水取出し口側の前記循環水路から前記羽根室方向へ略円錐状に窄まるテーパー状をなす吸入口が設けられているところに特徴を有する。
【発明の効果】
【０００６】
本発明によれば、循環ポンプの駆動源としてのポンプモータを回転速度変更可能なＤＣブラシレスモータにより構成したから、従来の誘導モータからなるポンプモータを使用する構成とは違って、小型で高回転高出力を実現できて、ポンプ能力を高めることができ、この結果、ポンプ羽根を小さくできる。さらに、循環ポンプを、ボリュートを備えたポンプケーシングと、ポンプ羽根及びポンプモータを備えたポンプ本体部とを、組み合わせて構成し、前記ボリュートに設けた該吸入口を、前記水取出し口側の前記循環水路から前記羽根室方向へ略円錐状に窄まるテーパー状をなす構成としたから、前記水取出し口側の前記循環水路からの水をテーパー状をなす該吸入口により羽根室内に円滑に導入させることができ、しかもボリュートを設けたこととポンプ羽根の高速回転とによってポンプ圧を高めることができ、小さいポンプ羽根を使用しながらも必要なポンプ性能を十分に得ることができ、さらに、循環ポンプの組立性も良くなる。
【発明を実施するための最良の形態】
【０００７】
以下、本発明の第１の実施例について図１ないし図８を参照して説明する。
まず、図６及び図７において、外箱１は矩形箱状をなしていて、底部に脚部２を有する台板３が設けられている。外箱１の前部（図６の左側）に、洗濯物出入口４が形成されていると共に、この洗濯物出入口４を開閉する扉５が図示しないヒンジを介して回動可能に設けられている。
【０００８】
外箱１内には、貯水が可能な水槽６が弾性支持機構７を介して配設されている。水槽６は、前面が開放され、後面が閉塞された有底円筒状をなしていて、軸方向が水平方向よりも前上がりの傾斜状態となるように配置されている。水槽６の前部には、環状をなす水槽カバー８が装着されている。この水槽カバー８は、水槽６の周壁部から中心方向に張り出した張出し部８ａと、この張出し部８ａの先端部から前方へ突出した短円筒状の突出部８ｂとを有していて、その突出部８ｂの内周部を開口部９としている。突出部８ｂの先端部と前記洗濯物出入口４との間にはベロー１０が設けられていて、このベロー１０によって水槽６の開口部９と洗濯物出入口４との間が水密かつ気密に接続されている。
【０００９】
水槽６内には回転槽としてのドラム１１が回転可能に配設されている。このドラム１１も、水槽６と同様に前面が開放され、後面が閉塞された有底円筒状をなしていて、軸方向が水平方向よりも前上がりの傾斜状態となるように配置されている。ドラム１１の周壁部には、通水及び通風が可能な多数の孔１２（図６に一部のみ示す）が形成され、周壁部の内面にはバッフル１３が複数個（図６では１個のみ示す）設けられている。ドラム１１の前部には、環状をなすバランスリング１４が設けられていて、このバランスリング１４の内周部の開口部１５が、洗濯物出入口４に連通している。ドラム１１は、水槽６の背面側に設けられたドラム用モータ１６により直接回転されるようになっている。ドラム用モータ１６は、例えばアウタロータ形のＤＣブラシレスモータにより構成されていて、ドラム１１の駆動手段として機能する。ドラム１１には、洗濯物出入口４から洗濯物が出し入れ可能に収容される。ドラム１１は、洗濯物の洗い、すすぎ、脱水に共用の槽として機能する。
【００１０】
水槽６の後部の最下部に設けられた排水口１９に、排水ダクト２０の一端部が接続されている。この排水ダクト２０の他端部は、図５及び図６にも示すように、リント捕獲部を構成するフィルタユニット２１のフィルタケース２２の入口に接続されている。フィルタケース２２の前部には、フィルタキャップ２３が着脱可能に装着されていて、このフィルタキャップ２３に、図示しないリントフィルタが設けられている。従って、リントフィルタは、フィルタキャップ２３を介してフィルタケース２２に着脱可能に装着されるようになっている。
【００１１】
フィルタユニット２１の後部には、循環ポンプ２５が設けられている。この循環ポンプ２５は、図１及び図５に示すように、ポンプケーシング２６と、ポンプ本体部２７とを組み合わせて構成されている。
【００１２】
ポンプケーシング２６は、前記フィルタケース２２の後部に円筒状に一体成形されており、その周壁部の一部にほぼ接線方向へ延びるように吐出口２６ａが形成されている。さらに該ポンプケーシング２６の内周部の一部には位置決め凸部２６ｂが形成されている。このポンプケーシング２６は、内部に、渦巻き流路を構成するためのボリュート２８を備えている。
【００１３】
このボリュート２８は図２ないし図４にも示すように、全体として円形状をなし、中央部２８ａと、平板部２８ｂと、隆起部２８ｃ、２８ｄとを一体に形成してなる。前記中央部２８ａは後方へやや隆起しており、該中央部２８ａの中心に吸入口２８ｅを形成している。前記一方の隆起部２８ｃの内面は円弧面２８ｃａとほぼ渦巻き形状の渦巻き状曲面２８ｃｂとを備えている。また他方の隆起部２８ｄの内面は円弧面２８ｄａとほぼ渦巻き形状の渦巻き状曲面２８ｄｂとを備えている。従って、ボリュート２８はポンプ羽根（後述する）の吐出回転方向（矢印Ａ方向）に曲線状（渦巻き曲線状）をなす。
【００１４】
そして当該中央部２８ａの周囲に位置して２つの開口２８ｆａ及び２８ｆｂが、前記隆起部２８ｃ及び２８ｄ間の空隙により形成されており、この開口２８ｆａ及び２８ｆｂから、ポンプ羽根（後述する）の吐出回転方向（矢印Ａ方向）に曲線状（ほぼ渦巻き曲線状）をなす第１の吐出通路部２８ｇ及び第２の吐出通路部２８ｈが、前記隆起部２８ｃ及び２８ｄ間の空隙により形成されている。さらに、隆起部２８ｃの外面部には被位置決め凹部２８ｉが形成されている。
【００１５】
このボリュート２８は、図１ないし図３に示すように、前記被位置決め凹部２８ｉが前記位置決め凸部２６ｂと嵌合される形態で前記ポンプケーシング２６内に挿入配置されており、この挿入配置形態で、第１の吐出通路部２８ｇが前記吐出口２６ａに連通し、また第２の吐出通路部２８ｈは、連通路２８ｊ及び前記第１の吐出通路部２８ｇを介して前記吐出口２６ａに連通している。なお、上記連通路２８ｊは隆起部２８ｄとポンプケーシング２６内面との間の間隙により構成されている。また、ボリュート２８の中央部２８ａの後側の空間部は前羽根室２８ｋを形成している。
【００１６】
前記ポンプ本体部２７は、ポンプ蓋部２９に、ポンプモータ３０とポンプ羽根３１とを設けて構成されている。前記ポンプ蓋部２９は、周縁部に取付用フランジ部２９ａを有するとともに、前部中央部には、ほぼ偏平円錐状をなして凹む後羽根室２９ｂが形成されているとともに、前後に貫通する軸挿通部２９ｃが形成され、また、後部にはモータ配置凹部２９ｄが形成されている。
【００１７】
前記ポンプモータ３０は、軸筒部３２外周に設けた固定子３３と、この軸筒部３２に回転自在に挿通配置した回転軸３４に連結したアウタロータ形の永久磁石形ロータ３５とから構成されており、ＤＣブラシレスモータである。このポンプモータ３０にはモータカバー３０ａが被着されている。
【００１８】
このポンプモータ３０は、前記モータ配置凹部２９ｄに配置されて適宜取付られている。そして、回転軸３４の前端部にポンプ羽根３１が一体回転し得るように連結されている。このポンプ羽根３１は、平板部３１ａの後側に前記回転軸３４が連結されるボス部３１ｂを有するとともに、前側に例えば４枚の羽根部３１ｃを有して構成されている。前記ボス部３１ｂと、前記ポンプ蓋部２９の軸挿通部２９ｃとの間には、該ポンプ羽根３１の回転を許容しつつ水封が可能なシール部材３６が配設されている。
【００１９】
このように構成したポンプ本体部２７のポンプ蓋部２９の取付用フランジ部２９ａが前記ポンプケーシング２６の取付フランジ部２６ｅにねじ３７により取り付けられており、もって、循環ポンプ２５が、ポンプケーシング２６とポンプ本体部２７とを組み合わせることにより構成されている。この場合、ポンプケーシング２６とポンプ本体部２７はパッキン３８によりシールが図られている。
【００２０】
このポンプ本体部２７とポンプケーシング２６との組み立て状態では、図１に示すように、ボリュート２８の前羽根室２８ｋとポンプ蓋部２９の後羽根室２９ｂとで羽根室３９が形成されており、この羽根室３９に前記ポンプ羽根３１の羽根部３１ｃが位置されている。
【００２１】
ポンプケーシング２６の吐出口２６ａ（図６及び図７参照）には、循環ダクト４０の一端部が接続されている。循環ダクト４０の他端部は上方へ延びていて、前記水槽カバー８の上部に設けられた水戻し口４１に接続されている。水戻し口４１は、循環ダクト４０から供給される水をドラム１１の後部に向けて吐出する構成となっている。
【００２２】
なお、前記フィルタユニット２１のフィルタケース２２には排水弁４２が設けられており、この排水弁４２に排水ホース４３が接続されている。
ここで、排水ダクト２０と、フィルタユニット２１のフィルタケース２２と、循環ポンプ２５と、循環ダクト４０とにより、循環水路４４を構成している。前記循環ポンプ２５はこの循環水路４４の途中に設けられている。また、前記排水口１９は水取出し口を兼用しており、この排水口１９と、循環水路４４と、循環ポンプ２５と、水戻し口４１とにより、循環装置４５を構成している。
【００２３】
また、前記吸入口２８ｅ及び吐出口２６ａは前記羽根室３９に連通するものであり、この場合、吸入口２８ｅは、水取出し口である排水口１９側の前記循環水路４４に相当するフィルタケース２２から前記羽根室３９方向へ略円錐状に窄まるテーパー状をなす。また、該吸入口２８ｅにおいて前記ポンプ羽根３１に臨む口部２８ｅ１の内径寸法が該ポンプ羽根３１が外径寸法より小さい。さらに、前記羽根室３９内面における前記吸入口２８ｅから周辺部にかけての部分に相当する中央部２８ａが、前記排水口１９側の前記循環水路４４であるフィルタケース２２方向へ向けて傾斜する斜面状に形成されている。
【００２４】
この場合、排水弁４２を閉鎖した状態で、水槽６内に水が供給されると、その水は、排水口１９、排水ダクト２０、フィルタケース２２、循環ポンプ２５まで浸入して貯留される。それ以上に供給された水は、水槽６内に貯留される。この状態で、循環ポンプ２５のポンプモータ３０が駆動されると、循環ポンプ２５のポンプ作用により、水槽６内の水が排水ダクト２０、フィルタケース２２を通してポンプケーシング２６内に吸入されるとともに、該ポンプケーシング２６内の水が吐出口２６ａから循環ダクト４０側へ吐出され、当該循環ダクト４０を通り水戻し口４１からドラム１１内、ひいては水槽６内へ吐出されるようになり、これにより水槽６内の水が循環水路４４を通して循環されるようになる（図６及び図７の矢印Ｂ参照）。なお、上記循環ポンプ２５は洗い行程やすすぎ行程において運転されるものであり、洗い行程においては、洗剤の泡立ちが良く、またすすぎ行程においてはすすぎ効果が高くなる。
【００２５】
また、水槽６内に水が貯留された状態で、排水弁４２が開放されると、水槽６内の水は、排水口１９から、排水ダクト２０、フィルタケース２２、排水弁４２、排水ホース４３を通して機外へ排出される。
【００２６】
前記外箱１の前面の上部には、操作部４６や表示部４７（図８参照）が設けられた操作パネル４８が設けられ、操作パネル４８（図７参照）の裏側に、マイクロコンピュータを含む制御手段たる制御装置４９（図８参照）が設けられている。外箱１内の上部の後部には給水弁５０が設けられ、前部には給水ケース５１が設けられていて、給水弁５０の出口が給水管５２を介して給水ケース５１に接続されている。給水弁５０の入水口５０ａには、図示はしないが、水道の蛇口に接続されたホースが接続される。給水ケース５１内には、洗剤が投入される。給水ケース５１の下部は、給水ホース５３を介して水槽６の上部に設けられた給水口５４に接続されている。
【００２７】
この場合、給水弁５０が開放されると、水道水が給水管５２を介して給水ケース５１に供給され、その水は、給水ケース５１内に投入された洗剤とともに給水ホース５３を介して水槽６内、ひいてはドラム１１内に供給される。
【００２８】
図８には、本発明の要旨に関係した電気的概略構成が示されている。この図８において、制御装置４９には、操作パネル４８に設けられた操作部４６、水槽６内の水位を検出する水位センサ５５、ドラム用モータ１６の回転速度を検出する回転センサ５６、ポンプモータ３０の回転速度を検出する回転センサ５７からの信号が入力される。回転センサ５６，５７は、例えばホール素子からなる。制御装置４９は、これらの入力信号と、予め備えた制御プログラムに基き、操作パネル４８に設けられた表示部４７、給水弁５０、ドラム用モータ１６、循環ポンプ２５のポンプモータ３０、排水弁４２を、それぞれ駆動回路４７ａ、５０ｂ、１６ａ、３０ｂ、４２ａを介して制御する機能を備えている。
【００２９】
この場合、ポンプモータ３０用の駆動回路３０ａには、２４Ｖの直流電源電圧が与えられるようになっている。この２４Ｖ直流電源電圧は、商用ＡＣ１００Ｖ電源を直流化電源回路により生成したものであり、この直流化電源回路は、洗濯機では、種々の電気部品の電源として標準的に備えられている。
【００３０】
そして、上記駆動回路３０ｂは、ポンプモータ３０に与える直流電圧を、適宜ＰＷＭ制御することにより直流２４Ｖ以下で駆動することにより、ＤＣブラシレスモータからなる該ポンプモータ３０を速度制御できるようになっている。この場合、回転センサ５７による検知結果をフィードバックして設定回転速度と比較し、この比較結果に応じて前記ＰＷＭ制御を行うものである。
【００３１】
前記循環ポンプ２５のポンプモータ３０は、前述したように洗い行程やすすぎ行程において駆動されるものであり、該ポンプモータ３０の回転速度は３６００ｒｐｍよりも高く設定している。該ポンプモータ３０が吐出方向である矢印Ａ方向へ回転駆動されると、循環ポンプ２５のポンプ作用により、水槽６内の水が排水ダクト２０、フィルタケース２２を通し、ポンプケーシング２６の吸入口２８ｅから羽根室３９内に吸入される。このとき、該吸入口２８ｅが前記フィルタケース２２から前記羽根室３９方向へ略円錐状に窄まるテーパー状をなすから、いわゆる導水面となり、水槽６内の水を羽根室３９内に円滑に導入できる。また、この羽根室３９内に導入された水はポンプ羽根３１の回転により遠心方向に付勢されるが、一部の水は羽根室３９における吸入口２８ｅ周辺方向へ付勢される。この場合、当該羽根室３９内面における吸入口２８ｅから周辺部にかけての部分である中央部２８ａがフィルタケース２２方向へ向けて傾斜する斜面状に形成されているから、当該中央部２８ａが平坦面をなす場合とは異なり、吐出口２６ａ方向（開口２８ｆａ、２８ｆｂ方向）へ水を円滑に案内でき、フィルタケース２２側への水の戻りを極力防止することができる。そして、開口２８ｆａ、２８ｆｂから出て、上記矢印Ａ方向に渦巻き曲線をなすボリュート２８の第１の吐出通路部２８ｇ及び第２の吐出通路部２８ｈ並びに連通路２８ｊを通って吐出口２６ａから吐出される。
【００３２】
この場合、本実施例によれば、循環ポンプ２５の駆動源としてのポンプモータ３０を回転速度変更可能なＤＣブラシレスモータにより構成したから、従来の誘導モータからなるポンプモータを使用する構成とは違って、小型で高回転高出力を実現できて、ポンプ能力を高めることができ、この結果、ポンプ羽根３１を小さくできる。さらに、循環ポンプ２５を、ボリュート２８を備えたポンプケーシング２６と、ポンプ羽根３１及びポンプモータ３０を備えたポンプ本体部２７とを、組み合わせて構成し、前記ボリュート２８に設けた該吸入口２８ｅを、前記フィルタケース２２から前記羽根室３９方向へ略円錐状に窄まるテーパー状をなす導水面に構成したから、前記フィルタケース２２からの水を該吸入口２８ｅを経由して羽根室３９内に円滑に導入させることができ、しかも水をらせん状に案内するボリュート２８を設けたこととポンプ羽根３１の高速回転とによってポンプ圧を高めることができ、小さいポンプ羽根３１を使用しながらも必要なポンプ性能を十分に得ることができ、循環水量を増加することができる。さらに、循環ポンプ２５の組立性も良くなる。ちなみに、従来では、ポンプ羽根の外径寸法が７０ｍｍ程度であったのに対して、本実施例におけるポンプ羽根３１の外径寸法は約２５ｍｍで済み、小型化を飛躍的に図り得た。
【００３３】
また、本実施例によれば、前記羽根室３９内面における前記吸入口２８ｅから周辺部にかけての部分である中央部２８ａが、水取出し口側の前記循環水路であるフィルタケース２２方向へ向けて傾斜する斜面状に形成されているから、当該中央部２８ａが平坦面をなす場合とは異なり、フィルタケース２２側への水の戻りを防止し、吐出口２６ａ方向へ水を円滑に案内でき、ポンプ効率をさらに高めることができる。
【００３４】
また、本実施例によれば、前記吸入口２８ｅにおいて前記ポンプ羽根３１に臨む口部２８ｅ１の内径を該ポンプ羽根３１の外径より小さくしたから、該吸入口２８ｅから羽根室３９内に導入された水の全部がポンプ羽根３１の回転遠心作用を受けることになって、ポンプ圧を効率良く高めることができ、小型化を図りつつ、循環水量の増加に寄与できる。
【００３５】
また、本実施例によれば、前記ポンプモータ３０にＤＣブラシレスモータを用いたから、回転速度変更が容易で、ポンプ性能を幅広く設定することができる。そして、当該ポンプモータ３０の回転速度を３６００ｒｐｍより高く設定したから、誘導モータをポンプモータとする場合とは違って、誘導モータでは出せない回転速度で循環ポンプ２５を運転できて、高いポンプ能力を発揮できる。
【００３６】
さらに、本実施例によれば、前記ポンプモータ３０の電源電圧を、洗濯機が通常備えた直流電源電圧である直流２４Ｖとしたから、わざわざ、ＤＣブラシレスモータからなるポンプモータ３０のための専用の直流電源回路を設けなくても良く、構成部品の増加を防止できて洗濯機コストの上昇を抑えることができる。
【００３７】
また、本実施例によれば、前記ボリュート２８が、前記ポンプ羽根３１の外周側に複数の開口２８ｆａ及び２８ｆｂを備えた構成であるから、ポンプ性能が向上するとともに、一つの開口が例えばリントにより狭くなったりしても他の開口によりポンプ性能を維持できる。
【００３８】
また、本実施例によれば、前記開口２８ｆａ及び２８ｆｂを、等間隔に設けたから、各開口２８ｆａ及び２８ｆｂへの流量分配を均等にすることができ、ポンプ性能の向上に寄与できる。
また、本実施例によれば、前記ボリュート２８を、ポンプ羽根３１の吐出回転方向に曲線状をなす構成としたから、循環ポンプ２５での水の流れを良くすることができてポンプ性能の向上に寄与できる。
【００３９】
本発明は、上記した実施例に限定されず、次のように変更して実施しても良い。前記ボリュート２８における開口の数は、それぞれ本発明の第２ないし４実施例として示す図９ないし図１１のようにしても良い。すなわち、図９においては、ボリュート２８が１つの開口２８ｆ１を備えており、この場合隆起部は１つ（符号２８ｃ１で示す）である。また図１０においては、ボリュート２８が３つの開口２８ｆ１、２８ｆ２、２８ｆ３を備えており、隆起部は３つ（符号２８ｃ１〜２８ｃ３で示す）である。また、図１１においては、ボリュート２８が４つの開口２８ｆ１、２８ｆ２、２８ｆ３、２８ｆ４を備えており、隆起部は４つ（符号２８ｃ１〜２８ｃ４で示す）である。
【００４０】
また、前記第１の実施例では、フィルタユニット２１に循環ポンプ２５を付設した構成としたが、循環ポンプ２５はフィルタユニット２１と切り離して、独立して設けても良く、この場合、前記ポンプケーシング２６はフィルタケース２２とを配管で接続するようにすれば良い。また前記第１の実施例では、前記ボリュート２８をポンプケーシング２６とは別部材として構成したが、ボリュート２８はポンプケーシング２６に一体に形成しても良い。また、本発明は、縦型のいわゆる脱水兼用洗濯機にも適用できるものである。
【図面の簡単な説明】
【００４１】
【図１】本発明の第１の実施例を示す循環ポンプ部分の縦断側面図
【図２】ポンプケーシング部分の後面図
【図３】図２のＫ−Ｋ線断面図
【図４】ボリュートの斜視図
【図５】ポンプケーシングとポンプ本体部とを離間した状態でのフィルタユニットの後方からの斜視図
【図６】洗濯機の縦断側面図
【図７】洗濯機の一部破断の斜視図
【図８】電気的構成のブロック図
【図９】本発明の第２の実施例を示す図２相当図
【図１０】本発明の第３の実施例を示す図２相当図
【図１１】本発明の第４の実施例を示す図２相当図
【符号の説明】
【００４２】
図面中、６は水槽、１１はドラム（回転槽）、１９は排水口（水取出し口）、２１はフィルタユニット、２２はフィルタケース（水取出し口側の循環水路）、２５は循環ポンプ、２６はポンプケーシング、２６ａは吐出口、２７はポンプ本体部、２８はボリュート、２８ａは中央部（羽根室内面における吸入口周辺部）、２８ｅは吸入口、２８ｆａ、２８ｆｂは開口、２９はポンプ蓋部、３０はポンプモータ、３１はポンプ羽根、３９はポンプ室、４１は水戻し口、４４は循環水路、４５は循環装置を示す。
【図１】
0004937046.tif 000002
【図２】
0004937046.tif 000003
【図３】
0004937046.tif 000004
【図４】
0004937046.tif 000005
【図５】
0004937046.tif 000006
【図６】
0004937046.tif 000007
【図７】
0004937046.tif 000008
【図８】
0004937046.tif 000009
【図９】
0004937046.tif 000010
【図１０】
0004937046.tif 000011
【図１１】
0004937046.tif 000012